(57)【要約】      （修正有）【課題】血圧モニタ、特に、家庭使用のために適切な及び圧力センサと連通する膨張可能なカフを有する種類の血圧モニタを提供する。【解決手段】血圧モニタ１０は、圧力センサ２４に既知の圧力を加えるようにポートに既知の圧力にあるガスボンベが有する気体を適用し、圧力センサ２４を電子的に調整することにより、圧力センサ２４の較正誤差を決定するように及び／又は圧力センサ２４の較正を調整するように、既知の圧力と圧力センサ２４からの圧力信号を比較することにより、較正されることが可能である。複数のガスボンベが、ある圧力範囲に亘って圧力センサ２４を較正するように用いられ、各々のガスボンベは異なる既知の圧力を有することが可能である。【選択図】図１
2015154953.tif 000002
【特許請求の範囲】
【請求項１】
較正手順及び血圧読み取り手順を実行するプロセッサを有する血圧モニタであって、前記較正手順において、検知された圧力読み取りは、前記血圧モニタを調べる又は較正するように、予測される圧力読み取りと比較され、前記血圧読み取り手順において、患者の血圧が、血圧読み取りを得るように検知され、前記血圧読み取り手順は、前記較正手順の後に実行され、第１較正手順がいつ実行されるかを記録する手段と、タイミング手段と、前記第１較正手順以来、所定の時間期間が経過した後に、第２較正手順が必要とされることを示すようにユーザに警告する、前記タイミング手段に接続された警告手段とをさらに有する、血圧モニタ。
【請求項２】
血圧モニタの較正状態の表示と共に血圧読み取りを表示する又は出力する表示手段又は出力手段を有する血圧モニタであって、前記較正状態は、検知された圧力読み取りが予測される圧力読み取りに比較される較正手順に基づき、前記血圧読み取りは、血圧読み取りステップにおいて、患者の血圧を検知することにより得られ、前記較正手順は、前記血圧読み取りステップの前に実行され、前記較正手順の日時が当該血圧モニタに記憶される、血圧モニタ。
【請求項３】
当該血圧モニタは、遠隔地への前記表示と共に前記血圧読み取りを送信するように備えられている、請求項１７に記載の血圧モニタ。
【発明の詳細な説明】
【技術分野】
【０００１】
本発明は、血圧モニタ較正、特に、既知の圧力を用いる血圧モニタの較正に関する。
【背景技術】
【０００２】
心臓血管疾患（Ｃａｒｄｉｏｖａｓｃｕｌａｒ  Ｄｉｓｅａｓｅ（ＣＶＤ））は、全疾患の三分の一に関与し、全疾患負荷への主要因子且つ次第に強まっている因子である。高血圧は既に、工業化社会全体における心臓血管疾患についてのかなり一般的な危険因子であり、多くの発展途上国、特に都会社会においてかなり一般的な健康上の問題になっている。
【０００３】
血圧の正確な測定は、高血圧の成功裏の管理のための必須条件である。血圧は通常、血圧計又は血圧モニタを用いて測定される。血圧モニタによる血圧の測定精度に影響する主な因子の１つは圧力センサであり、その圧力センサからの信号が処理されて、血圧の尺度（例えば、ｍｍＨｇ）に変換され、その尺度は後に、心臓血管疾患の診断及び処置のために用いられる。しかし、時間が経過するにつれて、及びその装置に対する衝撃、その装置の落下、温度変化、構成要素の劣化などの影響下で、センサの精度は変化し、その変化は測定誤差をもたらす。血圧モニタの主なユーザは高齢者及び傷病者であるために、主な問題点の１つはしばしば、血圧モニタの落下である。そのため、血圧測定装置は、アネロイド血圧測定装置、水銀血圧測定装置又は電子血圧測定装置に拘わらず、家庭用血圧測定装置すべてを含む血圧測定装置は、定期的に精度をチェックする必要がある。
【０００４】
較正は、高い精度の専用のコンプレッサに血圧モニタを取り付けて、血圧モニタにより表示される圧力がコンプレッサにより生成される圧力に一致することを調べることにより実行される。それらのコンプレッサは通常、製造会社又は専門会社によりメンテナンスされる。血圧モニタは、較正のためにそれらの会社に送り出される。これは高価であり、且つ不便である。更に、血圧モニタは、較正会社から送り返されるときに、落下される又は損傷される可能性があり、故に、血圧モニタは再び、不正確になる可能性がある。
【０００５】
それらの問題点のために、すべての顧客の血圧モニタは、製造中に較正されるが、多くの血圧モニタは再び較正されることはない。このことは、勿論、血圧モニタの何百万人のユーザの診断及び処置のクオリティに対して負の影響を与える。
【発明の概要】
【発明が解決しようとする課題】
【０００６】
本発明の目的は、安価な且つ好都合な方法で、特に、ユーザにより、血圧モニタが較正されるようにすることである。
【課題を解決しようとする手段】
【０００７】
従って、種々の状況下で、本発明は、特許請求の範囲に記載されているような方法、システム及び血圧モニタを提供することができる。
【０００８】
本発明の第１の実施形態に従って、血圧モニタを有する血圧モニタの較正を調べる又は調整する方法であって、血圧モニタが圧力検知手段を有する方法であり、既知の圧力を有する少なくとも１つの密閉ガスボンベを備えるステップと、圧力検知手段に既知の圧力を加えるように、圧力検知手段と流体連通するガスボンベを接続するステップと、ガスボンベが圧力検知手段と流体連通しているときに、圧力検知手段からの読み取りを得るステップと、血圧モニタを調べる又は較正するように、予測される読み取りと圧力検知手段から得られた読み取りを比較するステップとを有する、方法が提供される。
【０００９】
本発明の他の実施形態に従って、圧力センサ及び圧力センサに流体連通する少なくとも１つのポートを有する血圧モニタと、既知の圧力を有するガスボンベとを有するシステムであって、ポートは、そのポートに流体連通してガスボンベを取り付けるようにバスボンベの接続を容易にするように備えられている、システムを提供する。
【００１０】
好適には、ガスボンベは既知の圧力で圧縮された気体を有する。
【００１１】
好適には、ガスボンベは、シールを有する廃棄可能な使い捨てガスボンベであり、そのシールは、実質的に圧力の損失を伴わずにポートにガスボンベを接続するように破られるように設定されている。
【００１２】
好適には、血圧モニタは、ユーザの身体の一部の周囲での使用中に備えられる膨張可能なカフを有し、圧力検知手段は、カフ内の気体の圧力を検知するように備えられる。
【００１３】
装置は、例えば、ポートにおいて破裂手段を備えることにより、及びアダプタにより流体密閉して係合可能である係合部分を有するガスボンベを備えることにより、アダプタがポートに接続された後にのみ、ガスボンベのシールを破裂するように備えられることが可能であり、それにより、アダプタは、ポートと流体密封して係合位置で係合可能であり、その係合位置で、破裂手段はガスボンベのシールを穿孔するように備えられている。代替として、破裂手段は、アダプタに備えられることが可能である。
【００１４】
本発明の他の実施形態に従って、物理的衝撃を記録する衝撃センサを有する血圧モニタと、十分に大きい機械的衝撃又は一連の衝撃が記録されたときに、較正が必要であることを指示するようにユーザに警告する衝撃センサに接続された警告手段とを提供する。
【００１５】
本発明の他の実施形態に従って、タイミング手段と、所定時間期間が経過した後に較正が必要であることを指示するようにユーザに警告する、タイミング手段に接続された警告手段とを有する血圧モニタを提供する。
【００１６】
本発明の他の実施形態に従って、血圧モニタの較正状態の表示と共に血圧読み取りを表示する又は出力する表示手段又は出力手段を有する血圧モニタを提供する。
【００１７】
他の実施形態に従って、圧力検知手段と、温度検知手段と、プロセッサ手段とを有する血圧モニタであって、圧力検知手段は、プロセッサ手段に圧力信号を供給するように備えられ、プロセッサ手段は、圧力読み取りを与えるように圧力信号を処理するように備えられ、温度検知手段は、プロセッサ手段に温度信号を供給するように備えられ、プロセッサ手段は、検知された温度を補償するように圧力読み取りを調整するように備えられる。
【００１８】
本発明の例示としての実施形態について、純粋に実施例として、且つ特許請求の範囲を限定することなく、並びに図の参照番号を用いて、以下に詳述する。
【図面の簡単な説明】
【００１９】
【図１】血圧モニタを示す図である。
【図２】図１の血圧モニタ及び廃棄可能なガスボンベを有する較正方法及びシステムを示す図である。
【発明を実施するための形態】
【００２０】
図１を参照するに、血圧計又は血圧モニタ１０は通常、膨張可能なカフ３０と連動して用いられ、そのカフは、フレキシブルなチューブ２０によりモニタ１０に取り付けられる。チューブ２０は、アタッチメントバルブ１２によりモニタ１０に接続され、そのアタッチメントバルブは、チューブ２０とポンプ２２と圧力センサ２４との間の流体連通を可能にするチャネル１１に繋がっている。圧力センサの出力はアナログ−ディジタル変換器２６に供給され、その結果として得られるディジタル信号はプロセッサ（ＣＰＵ）２８に送信される。ＣＰＵ２８はディスプレイ２９を制御する。ＣＰＵ２８は、ポンプ２２の動作も制御する。使用中、膨張可能なカフは患者の腕１に取り付けられ、ユーザは、ディスプレイ２９の一部であることが可能であるキーパッド又はタッチセンシティブディスプレイなどの入力部３２を用いて、モニタリングを開始する。ポンプは、チューブ２０及びカフ３０内に圧力を高くする圧縮空気を供給する一方、圧力センサ２４が圧力をモニタする。カフは通常、患者の腕における静脈流を止めるのに十分な圧力になるように膨張され、続いて、カフ内の圧力はある時間に亘って低くされ、その間、静脈流は再開され、その後、妨げられないで流れるようになる。静脈流の再開から妨げられない流れまで、心臓のポンピング作用は、カフの圧力における小さい振動変動をもたらす。圧力センサ２４により平均圧力より高い及び低いそれらの小さい振動を検出することにより、ＣＰＵは、いつ心臓収縮期及び拡張期圧力が生じるかを決定することが可能であり、故に、基本的平均圧力（即ち、振動変動を除去した）を計算することにより、心臓収縮期及び拡張期圧力自体を決定することが可能である。
【００２１】
計算される心臓収縮期及び拡張期圧力の精度は、圧力センサ２４による圧量測定の精度に依存する。圧力センサを較正するように、既知の正確な空気静圧が従来技術に従って適用され、故に、圧力センサの出力を調べることが可能である。これは通常、必要な感度範囲に亘る一連の値について繰り返される。既知の空気静圧と圧力センサの読み取り値との間に差がある場合、圧力センサ並びに／若しくはその装置のプロセッサ又は他の構成要素は、モニタが適用される圧力を正確に反映するまで、必要に応じて、調整されることが可能である。これは、例えば、圧力センサを電子的に調整するＣＰＵを用いることにより、例えば、圧力センサの内蔵された増幅器のゲイン又は他のパラメータを調整することにより、行うことが可能である。
【００２２】
これは通常、製造過程で実行される。しかしながら、時間経過につれて、圧力センサの精度は低下する。この精度低下は、物理的損傷及びノック（ｋｎｏｃｋ）、モニタの環境又は単なる使用のためになり得る。故に、ある時間期間経過後、血圧モニタは交換されるか再較正される必要がある。従来、再較正は、製造中の当初の較正と同様の方法で実行されている。血圧モニタは、高精度の一連の既知の空気静圧を生成する空気コンプレッサに対して（例えば、ロッキングバルブ１４において）取り付けられる必要がある。圧力センサの読み取りはその場合、予測値と比較され、必要に応じて、圧力センサは調整されることが可能である。上記のように、このことは、そのような空気コンプレッサは高価であり、且つ、専用の機器であり、血圧モニタが再較正されるように工場に送り返される必要があるために、不便である。
【００２３】
図２を参照するに、較正の新しい方法が、血圧モニタ１０との関連で示されている。既知の圧力である体積の空気を有するガスボンベ１６が備えられている。血圧モニタは較正モードにされ、カフ３０及びチューブ２０は接続を外され、アタッチメントバルブ１２のロッキングナットが閉じられる。ガスボンベ１６は、ロッキングバルブ１４において血圧モニタに取り付けられ、故に、そのガスボンベは圧力センサと流体連通している。ガスボンベ１６及びロッキングバルブは好適には、協働するねじを有し、ロッキングバルブは穿刺手段を有し、故に、ガスボンベは、流体気密シールを得るように、ロッキングバルブに対してねじ留めされ、ガスボンベのキャップは、環境の圧力の損失をもたらすことなく、穿刺手段により同時に穿孔される。
【００２４】
ガスボンベ１６が穿孔されるとき、ガスボンベにより加圧された空気はチャネル１１の方に開放される。チャネル１１の体積は、ガスボンベの体積に比べて小さいことが可能であり、故に、圧力センサ２４における圧力は、ガスボンベ内の気体の圧力と略同じである。代替として、チャネルの体積が、圧力センサを較正するときに、考慮されることが可能であり、チャネルの体積に対する気体の広がりによりもたらされる圧力における既知の減少についての許容範囲が得られる。
【００２５】
血圧モニタは、圧力センサを較正するときに、チャネルの体積を考慮するとともに、血圧モニタは、サーミスタ又は他の温度測定センサを有することが可能である。温度により変化する実際の圧力はその場合、ＣＰＵによりこの温度の読み取りを用いて較正されることが可能であり、故に、圧力センサの較正は更に改善されることが可能である。較正方法から独立して血圧モニタ内に温度センサを備えることも有利であり、故に、血圧の読み取りは、環境温度について明確化するように調整されることが可能である。
【００２６】
ガスボンベからチャネルへの気体の開放はまた、気体の温度変化ももたらし得、その温度変化は、ガスボンベ及びチャネルの圧力、相対的体積、並びに用いられる気体の種類に依存する可能性がある。上記の方法は、十分高い精度の較正を可能にするが、必要に応じて、サーミスタ又は他の温度測定センサ４１が、温度による圧力変化を補償するように、チャネル内に備えられることが可能であり、又は、代替として、モニタは、用いられる部屋と温度平衡に達することが可能である。
【００２７】
較正モードにあるとき、血圧モニタのＣＰＵは、圧力センサにより読み取られる一定圧力を記録し、この一定圧力をガスボンベにより供給される予測される圧力と比較する。予測される圧力はユーザにより入力されることが可能であり、より都合のよいことには、ＣＰＵに予めプログラムされ、故に、ユーザは、ガスボンベに印刷された識別子（ＩＤ）を簡単に入力する必要があり、その識別子は、例えば、数字又は文字であることが可能であり、その数字又は文字は、ガスボンベの圧力値に関連付けてメモリ３６に記憶されることも可能である。記憶された値及び識別子は、ＵＳＢ接続３９を介してリモートデータベースから周期的にダウンロードされることが可能である。更に都合のよいことには、血圧モニタは無線周波数（ＲＦ）受信器２５を有し、ガスボンベは無線周波数識別（ＲＦＩＤ）タグ１５のような識別子を有する。無線周波数受信器２５は、それが十分に近接するとき（例えば、それがモニタに接続されるとき）、ガスボンベを検出且つ識別し、ＣＰＵにこれを送信し、ＣＰＵはその場合、メモリ３６においてガスボンベ内の較正圧力の記憶された値を調べる。
【００２８】
使用後、ガスボンベは廃棄される。有利であることに、そのガスボンベは、廃棄可能な使い捨てガスボンベである。そのガスボンベは再使用可能でないため、各々のガスボンベは、それ故に、較正の各々の場合が制御された工場の環境下で充填され且つシールされた新しいガスボンベを用いて実行されるように、所定の正確に記憶された較正圧力を示す。
【００２９】
製造会社で実行される従来の較正技術の場合のように、図２に示す方法は理想的には、圧力センサに複数の既知の圧力を適用することによる較正を有する。正確に認識された異なる圧力にある複数のガスボンベが提供され、それらの各々は、ある圧力範囲に亘って圧力センサの精度を調べるように血圧モニタに対して順に取り付けられる。それら複数のガスボンベにおいてＲＦ受信器及びＲＦＩＤタグが用いられる場合、各々の読み取りについて予測される圧力は、ＲＦ受信器によりＣＰＵに供給される。
【００３０】
圧力センサに必要な圧力が加えられた後、血圧モニタが正確に較正されるように、ＣＰＵは圧力センサから受信される入力を自動的に再較正することが可能である。
【００３１】
ガスボンベは、血圧モニタにおいて専用のロッキングバルブを用いるとともに又はそれを用いることに代えて、カフ３０にチューブ２０が取り付けられるバルブ１２、又は、実際には、圧力センサと流体連通する何れかの適切な既存のポート又はエアージャッキを用いて、取り付けられることが可能である。アダプタ４０が、そのようなポート及びガスボンベを接続するように用いられることが可能であり、そのアダプタは、加圧された気体を開放するように穿孔手段を有することも可能である。
【００３２】
ガスボンベからの気体は、取り付け処理の一部として自動的に又はユーザの操作により、ガスボンベが血圧モニタに完全に機械的に取り付けられる直前に、取り付けられている間に、又は取り付けた後に、開状態にされることが可能であるガスボンベの上部に備えられたバルブ又はキャッチ（ｃａｔｃｈ）手段などの穿孔以外のある手段を用いて、モニタにおけるポートにシールされた流体接続を確立することにより、開放されることも可能である。
【００３３】
血圧モニタは、クロック３８を有するタイミング手段と、書き込み可能な不揮発性メモリとを有することが可能である。このように提供される場合、血圧モニタは、較正手順が実行される日時（及び、必要に応じて、どのガスボンベが用いられたか）を記録することと、最後の較正手順以来、所定時間期間が経過したときに、他の較正が実行される必要があることをユーザに警告することがまた、可能である。
【００３４】
複数の血圧モニタはここで、例えば、ＵＳＢポート３９を介して、自動ホームモニタリングのための健康サービス業者と（インターネット又は他の広域ネットワークを用いて）通信する。これが行われる場合、血圧モニタの較正状況が通信されることも可能であり、故に、健康サービス業者は、遠隔的に与えられる読み取りをより信頼することができる。
【００３５】
血圧モニタはまた、血圧モニタが衝撃又は振動を与えられたときに、それを検知して、メモリ３６に記録することが可能な加速度計又は他のショックセンサ３４と、ショックセンサに反応する警告手段（例えば、ＣＰＵに組み込まれたソフトウェア）とを備えることが可能であり、それにより、十分大きい機械的衝撃があるとき、又は一連の衝撃が生じたとき、血圧モニタのＣＰＵ２８は、ユーザ（及び／又は遠隔モニタリング担当者）に警告し、較正が必要であることを示す（ディスプレイ２９、ＵＳＢ接続３９などを介して）ことが可能である。上記方法とは独立に、血圧モニタ内にショックセンサを備えることも有利であり、故に、ユーザは、血圧モニタが従来の較正手段により較正される必要があること、又は血圧モニタを交換する必要があることの情報を与えられることが可能であることに留意する必要がある。
【００３６】
ＲＦＩＤタグは一般に、一意の識別子コードを有する。これは、各々のガスボンベの状態を調べるために用いられることが可能である。例えば、血圧モニタが健康サービス業者と通信状態にある場合、遠隔中央データベースが、較正処理で用いられるガスボンベが以前に使用されていないこと、又はその有効な寿命が過ぎていないことを保証するように、調べられることが可能である。
【００３７】
この方法は、手動で較正される血圧モニタ（及び機械的血圧モニタ）を含み、手動バルブポンプが備えられている血圧モニタのための、多くの異なる種類の血圧モニタに適用されることも可能であることが理解できる。
【００３８】
本発明は、膨張可能なカフを有する種類の血圧モニタの正確な較正の保証において、及び家庭でユーザ自身の血圧をモニタするために適切な特定の血圧モニタにおいて、特に有利である。本発明は、膨張可能なカフを有しない血圧モニタ、例えば、患者の血管にカテーテルを介して接続するために適合された血圧モニタであって、その場合に、アダプタは、ガスボンベとモニタとの間で圧力を伝達する流体バリアを備える流体カラム及び／又は膜を備えることが可能である、血圧モニタのためにも用いられることが可能である。
【００３９】
ガスボンベ１６は、何れかの都合よい密閉型容器であって、例えば、金属、ガラス又はプラスチック材料から成るシリンダ、小瓶、アンプル、カートリッジなどの密閉型容器を有し、モニタのポートへの機械的接続及び密閉流体接続の両方を提供するように設定された接続部分を有することが可能である。その機械的接続は、ねじ山、フランジ、又は何れかの適切な手段を有することが可能であり、流体シールは機械的接続と一体的であることが可能であり、又はガスボンベがそれに機械的に接続されるときに、モニタへの耐圧性の密閉流体接続を備えるように設定される表面、ガスケット、弾性シールを有することが可能である。ガスボンベは、接続後にモニタの穿通手段又は穿孔要素により穿孔されるように設定された薄い金属又はプラスチック膜などの壊れやすいシールを備えることが可能である。好適には、そのシールは、ガスボンベが気体補給されることがないように備えられている。
【００４０】
ポートは、そのポートへのカフの解除式接続を容易にするように備えられることが可能であり、その場合、カフは、ポートに直接接続可能である、又はポートに対して接続可能なアダプタを介して接続可能である。ポートは、そのポートにガスボンベを直接接続するように設定されることが可能である。代替として、ポートは、そのポートへのアダプタの接続のために設定されることが可能であり、アダプタは、ポートと流体連通するガスボンベを取り付けるように、アダプタへのガスボンベの接続のために設定される。
【００４１】
バルブ１４又はガスボンベを受け入れるように設定された他のポートが、適切なバルブ手段によりカフに接続されることが可能であり、それにより、ガスボンベがバルブ１４に接続されるとき、カフは排気される、及び／又はバルブ１２は閉じられる、及び／又はバルブ１４はカフにおける圧力とは隔離される。バルブ手段は、ポートへのガスボンベの接続によって自動的に動作可能である、又は、バルブ手段が先ずカフを排気する又は隔離するように動作されない場合には、ポートへのガスボンベの接続を阻止することが可能である。
【００４２】
圧力センサは、ポートと流体連通している一方側と、圧力トランスデューサに接続された他方側とを有するダイアフラムを有することが可能である。代替の実施形態においては、使用中にカフ内が正圧にある圧力センサのダイアフラム構成部分の前方側に対して正圧を与えるのではなく、新規のガスボンベは、負圧（環境に対して）にある、即ち部分真空にある気体を有することが可能であり、又は、代替として完全に真空引きされることが可能であり、及びそのポートはダイアフラムの後方側に負圧を加えるように設定され、ダイアフラムの前方側は、使用中に、カフ内で正圧が得られ、それにより、較正のためのポートは、使用中に、カフと連通するポートに流体接続される必要はない。そのような実施形態においては、バルブ手段は、ガスボンベがポートに接続されているときに、カフを排気するように設定されることが可能であり、バルブ手段は好適には、ポートへのガスボンベの接続により、自動的に動作される。そのような実施形態においては、上記の“気体”の表現は、環境に対して低い圧力にある気体を含むように、及び実質的に気体がない又は完全に気体がないことにより定義される真空を含むように、変更すべきところは変更して、解釈することができる。
【００４３】
従って、ガスボンベに含まれる既知の圧力は、気体の貯蔵圧力又は真空の負ゲージ圧力である気体圧力であることが可能である。
【００４４】
更に他の実施形態においては、使用中にカフと連通するダイアフラム又は流体センサの他の要素と流体連通してガスボンベを接続するのではなく、ガスボンベは、別個のダイアフラムと、又は使用中にカフと連通するそのダイアフラムの離間部分と流体連通して接続されることが可能であり、その別個のダイアフラム又は離間部分は、例えば、カフの気体圧力を受け入れるものに比べて比較的小さいことが可能であり、故に、シリンダ内の気体圧力は都合よいことに、使用中にカフに適用される圧力に比べて比較的高い。
【００４５】
更に他の実施形態においては、チャネル１１は、比較的大きい既知の体積を備えることが可能であり、それにより、ガスボンベ１６は、チャネルに開放されるときに、実質的に膨張する比較的高い圧力にある気体の比較的小さい体積を有することが可能であり、圧力センサに加えられる圧力は、ガスボンベの大きさが都合よく小さくされることが可能であるように、ガスボンベ内の貯蔵気体の圧力より低い。温度センサ４１が備えられることが可能であり、それにより、圧力検知手段２４が、プロセッサ手段２８に圧力信号を供給するように備えられ、プロセッサ手段は、圧力の読み取りを提供するように圧力信号を処理するように備えられ、温度検知手段４１は、プロセッサ手段に温度信号を供給するように備えられ、プロセッサ手段は、検知された温度を補償するように圧力の読み取りを調整するように備えられる。代替として、温度センサは、温度が所定の温度に達するまで、圧力の読み取りを遅らせることが可能である。
【００４６】
圧力センサにガスボンベ内の既知の圧力を適用することは、既知の修正された圧力（予測圧力）を得るように、圧力センサにガスボンベ内の気体の膨張により修正されるようにその既知の圧力の適用を含むことであると解釈できると理解できる。
【００４７】
更に他の実施形態においては、貯蔵気体が、カフを膨張させるようにポンプ２２に追加されて又はポンプに代えて、用いられることが可能である。拡張期圧及び収縮期圧が、上記のように、又は従来技術に従って演算されることが可能である。ＲＦＩＤタグではなく、接触ＩＤタグ又は何れかの他の識別手段が用いられることが可能である。
【００４８】
更に他の実施形態においては、２つ又はそれ以上のガスボンベ若しくは１つのガスボンベ内の複数のコンパートメントが、圧力センサの異なる要素に異なる既知の圧力を同時に加えるように、それぞれのポートに同時に接続されることが可能であり、それにより、圧力センサは、例えば、環境圧力を補償するように、差圧を反映する読み取りを与えることが可能である。
【００４９】
要約すれば、好適な実施形態においては、血圧モニタ、特に、家庭使用のために適切な及び圧力センサと連通する膨張可能なカフを有する種類の血圧モニタは、圧力センサに既知の圧力を加えるようにポートに既知の圧力にある密封ガスボンベが有する気体を適用し、例えば、そのセンサを電子的に調整することにより、センサの較正誤差を決定するように及び／又はセンサの較正を調整するように、既知の圧力と圧力センサからの圧力信号を比較することにより、較正されることが可能である。複数のガスボンベが、ある圧力範囲に亘ってセンサを較正するように用いられ、各々のガスボンベは異なる既知の圧力を有することが可能である。各々のガスボンベは好適には、ポートに取り付けられたときに破られ、ガスボンベにおける既知の圧力の値に関連付けてメモリに記憶される電子的に読み取り可能な識別子のような識別子を有することが可能である。温度検知手段が備えられることが可能であり、それにより、圧力の読み取りは、例えば、ガスボンベから開放される気体の温度を補償するように調整される。モニタは、再較正が必要であるとの指示を与えるように、ユーザ又は遠隔管理担当者に警告する及び機械的衝撃を検知するための手段を有することが可能である。
【００５０】
上記の詳述から当業者には他の多くの適応が明らかであり、本発明の範囲は特許請求の範囲によってのみ限定されることを理解する必要がある。
【符号の説明】
【００５１】
１０  血圧モニタ
１１  チャネル
１２  アタッチメントバルブ
１４  ロッキングバルブ
１６  ガスボンベ
２０  チューブ
２２  ポンプ
２４  圧力センサ
２６  アナログ−ディジタル変換器
２８  ＣＰＵ
２９  ディスプレイ
３０  カフ
【図１】
2015154953.tif 000003
【図２】
2015154953.tif 000004